(57)【要約】【課題】小小根太を設けなくとも、温調マット同士の突き合わせ辺付近に配置されたフローリング材を小根太に釘留めすることができる温調床構造を提供する。【解決手段】床暖房マットＡ，Ｂ同士の突き合わせ辺Ｔに、各々の基板１０〜１７同士を連結する連結部２１が隣接している。各連結部２１は釘打ち禁止部となっている。突き合わせ辺Ｔ上にフローリング材１を配置するときには、このフローリング材１の長側辺がこの突き合わせ辺Ｔと、この突き合わせ辺Ｔに隣接する各連結部２１とに重ならないように配置する。フローリング材１の短手幅Ｗ０、床暖房マットＡ，Ｂの短辺方向の幅Ｗ１，Ｗ２、及び各連結部２１の幅ｔは次の関係を満たす。Ｗ１＝ｎ・Ｗ０（ｎは１以上の整数）、Ｗ２＝ｍ・Ｗ０（ｍは１以上の整数）、２ｔ＝ｘ・Ｗ０（０＜ｘ＜１）、（１−ｘ）・Ｗ０≧１０ｍｍ。【選択図】図４
2008280829.tif 000002
【特許請求の範囲】
【請求項１】
床上に複数の温調マットが配置され、その上に複数の帯板状のフローリング材が敷設された温調床構造であって、
各温調マットは、それぞれ略方形の平面視形状を有し、該温調マット同士は、各々の一側辺（以下、突き合わせ辺という。）同士を突き合わせるようにして配列されており、
各温調マットは、それぞれ該突き合わせ辺と略直交方向に延在し、且つ互いに所定の間隔をおいて配列された複数の小根太と、
該小根太同士の間にそれぞれ配材された複数の基板と、
該基板の上面に設けられた配管収容用の溝と、
該溝に収容された温調用配管と、
各基板の上面を覆うように配置された均熱シートと
を有し、
少なくとも一部の小根太の前記突き合わせ辺に臨む端部が、該突き合わせ辺から温調マット中央側へ離隔しており、これにより、該小根太の端部と該突き合わせ辺との間に釘打ち禁止部が存在しており、
前記フローリング材は、それぞれ長手方向を前記突き合わせ辺と略平行方向として、複数の前記小根太に跨って配材され、少なくとも一方の長側辺がこれらの小根太に釘留めされている温調床構造において、
該フローリング材は、その長側辺が前記突き合わせ辺及び前記釘打ち禁止部の上に重ならない位置関係にて配材されていることを特徴とする温調床構造。
【請求項２】
請求項１において、
該フローリング材の短手幅Ｗ０、
該温調マットの前記突き合わせ辺と略直交方向の幅Ｗ、及び
前記釘打ち禁止部の該突き合わせ辺と略直交方向の幅ｔ
が次の関係を満たすことを特徴とする温調床構造。
Ｗ＝ｎ・Ｗ０            （ｎは２以上の整数）
２ｔ＝ｘ・Ｗ０          （０＜ｘ＜１）
（１−ｘ）・Ｗ０≧１０ｍｍ
【請求項３】
請求項２において、Ｗ０は３０３ｍｍであり、
７５ｍｍ≦（１−ｘ）・Ｗ０≦２５０ｍｍであることを特徴とする温調床構造。
【請求項４】
請求項２又は３において、２ｔ＜２／３Ｗ０であることを特徴とする温調床構造。
【発明の詳細な説明】
【技術分野】
【０００１】
本発明は、床上に複数の略方形の温調マットが配列され、その上に複数の帯板状のフローリング材が敷設された温調床構造に係り、特に、各温調マットに複数の小根太が平行に配設されており、フローリング材がこれらの小根太に跨って配材されて小根太に釘留めされている温調床構造に関する。
【背景技術】
【０００２】
基板の上面に温水配管を引き回してなる温水マットを床上に配置し、その上にフローリング材を敷設した暖房床がある。
【０００３】
この温水マットとして、フローリング材を固定するための小根太を備えたものが特開２００４−２８５７７号公報に記載されている。
【０００４】
同号公報の温水マットは、複数の長方形状の基板と複数の小根太とが交互に配列されたものである。各小根太の長さは、基板の長手方向の幅よりも小さく、各小根太の両端側は、温水マットの外縁から該温水マットの中央側に離隔している。小根太を挟んで隣り合う基板同士は、この小根太の両端側を回りこむようにして形成された連結部によって連結されている。この連結部を通って、各基板に連続して温水配管が引き回されている。
【０００５】
同号公報の温水マットにあっては、この連結部には小根太が存在しないため、温水マットの外縁付近に配置されたフローリング材を小根太に釘留めしにくい。
【０００６】
また、複数の温水マットを突き合わせるようにして配列した場合には、隣り合う温水マットの連結部同士が、これらの温水マットの突き合わせ辺を挟んで連続する。そのため、この突き合わせ辺付近に配置されたフローリング材を小根太に釘留めするのが一層困難になる。
【０００７】
特開２００５−１１４１９１号公報には、この連結部を挟んで小根太と反対側、即ち温水マットの外縁側に小小根太を配置した温水マットが記載されている。
【０００８】
この特開２００５−１１４１９１号公報の温水マットにあっては、複数の温水マットを突き合わせるようにして配列した場合でも、各温水マットの小小根太が温水マット同士の突き合わせ辺に隣接して配置されるため、この突き合わせ辺付近に配置されたフローリング材を小小根太に釘留めすることができる。
【特許文献１】特開２００４−２８５７７号公報
【特許文献２】特開２００５−１１４１９１号公報
【発明の開示】
【発明が解決しようとする課題】
【０００９】
上記特開２００５−１１４１９１号公報の温水マットにあっては、小小根太が設けられているので、構成部材点数が多く、コスト高である。
【００１０】
本発明は、小小根太を設けなくとも、温調マット同士の突き合わせ辺付近に配置されたフローリング材を小根太に釘留めすることができる温調床構造を提供することを目的とする。
【課題を解決するための手段】
【００１１】
本発明（請求項１）の温調床構造は、床上に複数の温調マットが配置され、その上に複数の帯板状のフローリング材が敷設された温調床構造であって、各温調マットは、それぞれ略方形の平面視形状を有し、該温調マット同士は、各々の一側辺（以下、突き合わせ辺という。）同士を突き合わせるようにして配列されており、各温調マットは、それぞれ該突き合わせ辺と略直交方向に延在し、且つ互いに所定の間隔をおいて配列された複数の小根太と、該小根太同士の間にそれぞれ配材された複数の基板と、該基板の上面に設けられた配管収容用の溝と、該溝に収容された温調用配管と、各基板の上面を覆うように配置された均熱シートとを有し、少なくとも一部の小根太の前記突き合わせ辺に臨む端部が、該突き合わせ辺から温調マット中央側へ離隔しており、これにより、該小根太の端部と該突き合わせ辺との間に釘打ち禁止部が存在しており、前記フローリング材は、それぞれ長手方向を前記突き合わせ辺と略平行方向として、複数の前記小根太に跨って配材され、少なくとも一方の長側辺がこれらの小根太に釘留めされている温調床構造において、該フローリング材は、その長側辺が前記突き合わせ辺及び前記釘打ち禁止部の上に重ならない位置関係にて配材されていることを特徴とするものである。
【００１２】
請求項２の温調床構造は、請求項１において、該フローリング材の短手幅Ｗ０、該温調マットの前記突き合わせ辺と略直交方向の幅Ｗ、及び前記釘打ち禁止部の該突き合わせ辺と略直交方向の幅ｔが次の関係を満たすことを特徴とするものである。  
Ｗ＝ｎ・Ｗ０            （ｎは２以上の整数）
２ｔ＝ｘ・Ｗ０          （０＜ｘ＜１）
（１−ｘ）・Ｗ０≧１０ｍｍ
【００１３】
請求項３の温調床構造は、請求項２において、Ｗ０は３０３ｍｍであり、７５ｍｍ≦（１−ｘ）・Ｗ０≦２５０ｍｍであることを特徴とするものである。
【００１４】
請求項４の温調床構造は、請求項２又は３において、２ｔ＜２／３Ｗ０であることを特徴とするものである。
【発明の効果】
【００１５】
本発明の温調床構造にあっては、フローリング材は、その長側辺が温調マット同士の突き合わせ辺及び各温調マットの釘打ち禁止部の上に重ならない位置関係にて配材されている。これにより、フローリング材の長側辺を確実に温調マットの小根太に釘留めすることができる。
【００１６】
本発明では、フローリング材の短手幅Ｗ０、温調マットの突き合わせ辺と略直交方向の幅Ｗ、及び釘打ち禁止部の該突き合わせ辺と略直交方向の幅ｔが次の関係を満たすように構成することが好ましい。  
Ｗ＝ｎ・Ｗ０            （ｎは２以上の整数）
２ｔ＝ｘ・Ｗ０          （０＜ｘ＜１）
（１−ｘ）・Ｗ０≧１０ｍｍ
【００１７】
このように構成することにより、隣り合う温調マットの釘打ち禁止部同士が、これらの温調マット同士の突き合わせ辺を挟んで連続している場合でも、この連続した釘打ち禁止部の合計の幅２ｔがフローリング材の短手幅Ｗ０よりも小さいので、必ず、フローリング材を、その両方の長側辺がこの連続した釘打ち禁止部に重ならないように配材することができる。
【００１８】
また、この際、フローリング材の短手幅Ｗ０から連続した釘打ち禁止部の合計の幅２ｔを引いた残りの幅（１−ｘ）・Ｗ０が１０ｍｍ以上となっているので、このフローリング材の少なくとも一方の長側辺を余裕を持って小根太に重ねることができる。これにより、フローリング材の少なくとも一方の長側辺を確実に小根太に釘留めすることができる。
【００１９】
従って、本発明の温調床構造にあっては、温調マット同士の突き合わせ辺付近に小小根太を設けなくとも、確実にフローリング材を小根太に固定することができる。
【００２０】
一般的に流通している規格品のフローリング材は、通常、短手幅Ｗ０が３０３ｍｍとなっている。本発明では、この規格品のフローリング材を用いる場合には、このフローリング材の短手幅Ｗ０（３０３ｍｍ）から連続した釘打ち禁止部の合計の幅２ｔを引いた残りの幅（１−ｘ）・Ｗ０が７５ｍｍ以上２５０ｍｍ以下となるように構成することが好ましい。
【００２１】
本発明では、特に、連続した釘打ち禁止部の合計の幅２ｔがフローリング材の短手幅Ｗ０の２／３よりも小さくなるように構成することが好ましい。このように構成した場合、フローリング材の短辺を、連続した釘打ち禁止部の両側の小根太に跨るように配置することができ、且つこの短辺の両端側がそれぞれ余裕を持って小根太に重なるようになるため、このフローリング材の短辺の両端側を確実に小根太に釘留めすることが可能となる。
【発明を実施するための最良の形態】
【００２２】
以下、図面を参照して実施の形態について説明する。以下の各実施の形態は、床暖房マットへの本発明の適用例である。なお、以下の各実施の形態は本発明の一例であり、本発明は以下の各実施の形態以外の形態をもとりうる。
【００２３】
［第１の実施の形態に係る温調床構造としての暖房床構造］
第１図は実施の形態に係る温調床構造としての暖房床構造の平面図、第２図この暖房床構造に用いられる床暖房マットＡ，Ｂの平面図、第３図（ａ）はこの暖房床構造に用いられるフローリング材１の斜視図、第３図（ｂ）はこのフローリング材１の平面図、第３図（ｃ）は第３図（ｂ）のＣ−Ｃ線に沿う断面図、第４図は第１図のIV付近の拡大図、第５図は第４図のＶ−Ｖ線に沿う断面図である。
【００２４】
なお、第２図及び第４図では、均熱シート５の図示が省略され、第４図ではさらに温水配管４の図示も省略されている。
【００２５】
また、第４図及び第５図では、代表的な１枚のフローリング材１のみ図示され、他のフローリング材１の図示は省略されている。
【００２６】
第１図に示すように、この実施の形態の暖房床構造は、建物の室の床上に２枚の床暖房マットＡ，Ｂが配置され、その上に複数枚の帯板状のフローリング材１が敷設されたものである。この実施の形態では、床暖房マットＡ，Ｂはそれぞれ略長方形状のものであり、各々の一長辺（以下、突き合わせ辺Ｔという。）同士を突き合わせるようにして配列されている。フローリング材１は、各々の長手方向をこの床暖房マットＡ，Ｂ同士の突き合わせ辺Ｔと略平行にして配材されている。
【００２７】
なお、第１図の通り、これらの床暖房マットＡ，Ｂの合計の面積は室の床の全体の面積よりも小さく、この室の床の周縁と床暖房マットＡ，Ｂの連続体の外周との間には、これらの床暖房マットＡ，Ｂと略同じ厚みのダミー材２が配設されている。フローリング材１は、このダミー材２の上面と床暖房マットＡ，Ｂの連続体の上面とに跨って連続して配材されている。
【００２８】
各床暖房マットＡ，Ｂの、前記突き合わせ辺Ｔと略直交する短辺方向の幅Ｗ１，Ｗ２は、それぞれ、フローリング材１の短手幅Ｗ０の１倍以上の整数倍となっている。即ち、各床暖房マットＡ，Ｂの短辺方向の幅Ｗ１，Ｗ２とフローリング材１の短手幅Ｗ０との関係は次の通りである。  
Ｗ１＝ｎ・Ｗ０        （ｎは１以上の整数）
Ｗ２＝ｍ・Ｗ０        （ｍは１以上の整数）
【００２９】
なお、一般的に流通している規格品のフローリング材や床暖房マットは、３０３ｍｍを基本単位として各部の寸法が設定されている。具体的には、規格品のフローリング材は、通常、短手幅が３０３ｍｍとされ、長手幅がこの短手幅の整数倍（例えば１８１８ｍｍ）とされている。
【００３０】
フローリング材１には、第３図に示すように、その一長側辺と一短辺とに沿って、側方へ張り出す雄実１ａが延設されており、残りの長側辺と短辺とに沿って、この雄実１ａが係合可能な雌実１ｂが延設されている。
【００３１】
床暖房マットＡ，Ｂは、それぞれ、複数本（この実施の形態では７本）の小根太２０と、複数枚（この実施の形態では７枚）の略長方形状の基板１０〜１７と、各基板１０〜１７の上面に設けられた配管収容用の溝３（第５図）に配設された温水配管４と、各基板１０〜１７の上面を覆うように配置され、各基板１０〜１７の上面に付着された均熱シート５（第５図）等を備えている。
【００３２】
第２図に示すように、該基板１０〜１７と小根太２０とは、各々の長手方向を各床暖房マットＡ，Ｂの短辺方向として、各床暖房マットＡ，Ｂの長辺方向に交互に配列されている。この実施の形態では、床暖房マットＡ，Ｂの長辺方向の両端側には小根太２０が配置されておらず、該長辺方向の一端側にはそれぞれ基板１０が配置され、他端側にはそれぞれ基板１７が配置されている。ただし、各床暖房マットＡ，Ｂの長辺方向の両端側にもそれぞれ小根太２０が配置されていてもよい。
【００３３】
第４図の通り、各基板１０〜１７を挟んで隣り合う小根太２０，２０の短手方向の中間同士の間隔は、フローリング材１の短手幅と同じＷ０（即ち規格品の基本単位寸法）となっている。
【００３４】
床暖房マットＡにおいては、各基板１０〜１７の長手方向の幅はＷ１となっており、床暖房マットＢにおいては、各基板１０〜１７の長手方向の幅はＷ２となっている。各基板１０〜１７のその他の寸法（小根太２０，２０同士の間における幅及び厚さ）は、床暖房マットＡと床暖房マットＢとで同じとなっている。
【００３５】
各小根太２０の長さは、各基板１０〜１７の長手方向の幅よりも小さい。
【００３６】
各床暖房マットＡ，Ｂの基板１０，１１同士の間、基板１２，１３同士の間、基板１４，１５同士の間、及び基板１６，１７同士の間の各小根太２０は、その長手方向の両端が、該床暖房マットＡ，Ｂ同士の突き合わせ辺Ｔ及び各床暖房マットＡ，Ｂの該突き合わせ辺Ｔと反対側の長辺（符号略）からそれぞれ各床暖房マットＡ，Ｂの中央側に離隔している。
【００３７】
また、各床暖房マットＡ，Ｂの基板１１，１２同士の間、及び基板１５，１６同士の間の各小根太２０は、その長手方向の一端が該床暖房マットＡ，Ｂ同士の突き合わせ辺Ｔと合致しており、他端が、各床暖房マットＡ，Ｂの該突き合わせ辺Ｔと反対側の長辺から各床暖房マットＡ，Ｂの中央側に離隔している。
【００３８】
各床暖房マットＡ，Ｂの基板１０，１１の長手方向の両端部同士、基板１２，１３の長手方向の両端部同士、基板１４，１５の長手方向の両端部同士、及び基板１６，１７の長手方向の両端部同士は、各々の間の小根太２０の両端側を回り込むように形成された連結部２１によってそれぞれ連結されている。
【００３９】
また、各床暖房マットＡ，Ｂの基板１１，１２の前記突き合わせ辺Ｔと反対側の端部同士、及び基板１５，１６の前記突き合わせ辺Ｔと反対側の端部同士は、各々の間の各小根太２０の前記他端側を回り込むように形成された連結部２１によってそれぞれ連結されている。
【００４０】
この実施の形態では、これらの連結部２１が、釘打ち禁止部となっている。
【００４１】
各床暖房マットＡ，Ｂの短辺方向における各連結部２１の幅ｔとフローリング材１の短手幅Ｗ０は、次の関係を満たす。  
２ｔ＜ｘ・Ｗ０        （０＜ｘ＜１）
（１−ｘ）・Ｗ０≧１０ｍｍ
【００４２】
なお、本発明においては、フローリング材１として、短手幅Ｗ０が３０３ｍｍの規格品を用いる場合には、７５ｍｍ≦（１−ｘ）・Ｗ０≦２５０ｍｍであることが好ましい。また、本発明では、特に、２ｔ＜２／３Ｗ０であることが好ましい。
【００４３】
第２図の通り、床暖房マットＡ，Ｂを室の床上に配列した状態にあっては、これらの突き合わせ辺Ｔを挟んで、同じ符号の基板１０〜１７の端辺同士が対向する。
【００４４】
また、このとき、該突き合わせ辺Ｔを挟んで、床暖房マットＡの基板１０，１１間の連結部２１と床暖房マットＢの基板１０，１１間の連結部２１とが対向し、床暖房マットＢの基板１１，１２間の連結部２１と床暖房マットＡの基板１１，１２間の小根太２０の端部とが対向し、床暖房マットＡの基板１２，１３間の連結部２１と床暖房マットＢの基板１２，１３間の連結部２１とが対向し、床暖房マットＡの基板１３，１４間の連結部２１と床暖房マットＢの基板１３，１４間の小根太２０の端部とが対向し、床暖房マットＡの基板１４，１５間の連結部２１と床暖房マットＢの基板１４，１５間の連結部２１とが対向し、床暖房マットＢの基板１５，１６間の連結部２１と床暖房マットＡの基板１５，１６間の小根太２０の端部とが対向し、床暖房マットＡの基板１６，１７同士の連結部２１と床暖房マットＢの基板１６，１７間の連結部２１とが対向する。
【００４５】
即ち、床暖房マットＡ，Ｂを室の床上に配列した状態にあっては、床暖房マットＡの基板１０，１１間の小根太２０と床暖房マットＢの基板１０，１１間の小根太２０との間、床暖房マットＡの基板１２，１３間の小根太２０と床暖房マットＢの基板１２，１３間の小根太２０との間、床暖房マットＡの基板１４，１５間の小根太２０と床暖房マットＢの基板１４，１５間の小根太２０との間、並びに床暖房マットＡの基板１６，１７間の小根太２０と床暖房マットＢの基板１６，１７間の小根太２０との間には、それぞれ、２個の連結部２１，２１が連続して介在するため、幅２ｔの釘打ち禁止部が存在することとなる。
【００４６】
また、床暖房マットＡの基板１１，１２同士の間の小根太２０と床暖房マットＢの基板１１，１２間の小根太２０との間、床暖房マットＡの基板１３，１４間の小根太２０と床暖房マットＢの基板１３，１４間の小根太２０との間、並びに床暖房マットＡの基板１５，１６間の小根太２０と床暖房マットＢの基板１５，１６間の小根太２０との間には、それぞれ、１個の連結部２１が介在するため、幅ｔの釘打ち禁止部が存在することとなる。
【００４７】
各基板１０〜１７の上面には、それぞれ、３条の配管収容用の溝３が延設されている。
【００４８】
連結部２１によって連結された基板１０〜１７同士の間においては、これらの溝３同士は該連結部２１を通って連続している。
【００４９】
この実施の形態では、各床暖房マットＡ，Ｂの基板１０の３条の溝３のうち２条の溝３の端部がそれぞれ該床暖房マットＡ，Ｂ同士の突き合わせ辺Ｔに臨んでおり、床暖房マットＡ，Ｂを室の床上に配列したときに、該突き合わせ辺Ｔを跨いで床暖房マットＡの基板１０と床暖房マットＢの基板１０との間でこれらの溝３が連続するようになっている。
【００５０】
即ち、この実施の形態では、該突き合わせ辺Ｔを跨いで床暖房マットＡと床暖房マットＢとに連続して温水配管４が引き回されており、この温水配管４により床暖房マットＡ，Ｂ同士が連結されている。
【００５１】
なお、この実施の形態では、床暖房マットＡの基板１０から床暖房マットＢの基板１０に連続する溝３は、各基板１０の突き合わせ辺Ｔ付近で円弧状に湾曲しており、これらの溝３の端部はそれぞれ該突き合わせ辺Ｔに沿って延在したものとなっている。なお、この溝３の床暖房マットＡ側と床暖房マットＢ側とは、互いに反対側に向って凸となる円弧形状を呈するように湾曲している。従って、床暖房マットＡ，Ｂを室の床上に配列した状態においては、この溝３は、床暖房マットＡの基板１０から床暖房マットＢの基板１０にかけて略Ｓ字形を呈するように連続する。このＳ字形の溝３に沿って配設された温水配管４のうち、突き合わせ辺Ｔを跨ぐ部分は、該突き合わせ辺Ｔに沿って延在する。
【００５２】
この実施の形態では、床暖房マットＢの基板１０の突き合わせ辺Ｔと反対側の端部付近に温水供給用のヘッダー６が設置されており、このヘッダー６に２回路の温水配管４が接続されている。一方の温水配管４は床暖房マットＡに引き回され、他方の温水配管４は床暖房マットＢに引き回されている。
【００５３】
即ち、該一方の温水配管４は、床暖房マットＢの基板１０から突き合わせ辺Ｔを跨いで床暖房マットＡの基板１０に引き回され、この床暖房マットＡにおいて、該基板１０から各連結部２１を通って基板１１，１２，１３，１４，１５，１６を経由して基板１７まで引き回され、次いで、この基板１７から再び各連結部２１を通って基板１６，１５，１４，１３，１２，１１を経由して基板１０に戻り、次いでこの床暖房マットＡの基板１０から突き合わせ辺Ｔを跨いで床暖房マットＢの基板１０に引き回されて、終端がヘッダー６に接続されている。
【００５４】
また、該他方の温水配管４は、床暖房マットＢにおいて、基板１０から各連結部２１を通って基板１１，１２，１３，１４，１５，１６を経由して基板１７まで引き回され、次いで、この基板１７から再び各連結部２１を通って基板１６，１５，１４，１３，１２，１１を経由して基板１０に戻り、終端がヘッダー６に接続されている。
【００５５】
ただし、温水配管４の配設ルートはこれに限定されない。
【００５６】
温水配管４を溝３に収容しつつこのように引き回した後、床暖房マットＡ，Ｂの上面にそれぞれ均熱シート５が配置され、この均熱シート５が各床暖房マットＡ，Ｂの上面にそれぞれ接着剤により貼り付けられている。この均熱シート５により、各床暖房マットＡ，Ｂにおいて、それぞれ基板１０〜１７及びこれらの間の各小根太２０が連結されている。
【００５７】
なお、第５図の通り、この実施の形態では、床暖房マットＡと床暖房マットＢとの間では均熱シート５は連続していないが、床暖房マットＡと床暖房マットＢとの突き合わせ辺Ｔを跨いで双方のマットＡ，Ｂの上面に連続して均熱シート５を貼り付けてもよい。
【００５８】
この実施の形態では、床暖房マットＡ，Ｂ間でこれらの突き合わせ辺Ｔに沿って山折り又は谷折りすることにより、これらの床暖房マットＡ，Ｂ同士を折り重ねた状態とすることができるようになっている。
【００５９】
この実施の形態では、温水配管４のうち床暖房マットＡ，Ｂ同士の突き合わせ辺Ｔを跨ぐ部分が、この突き合わせ辺Ｔに沿って延在しているので、この突き合わせ部Ｔに沿って山折り又は谷折りした際には、この突き合わせ部Ｔを跨ぐ部分がその軸心回りに捩れるようにして曲がる。そのため、この山折り又は谷折りに伴って温水配管４が座屈して破損することが防止される。
【００６０】
次に、このように構成されたフローリング材１及び床暖房マットＡ，Ｂを用いて暖房床構造を構築する手順について説明する。
【００６１】
まず、室の床のうち床暖房マット配置予定域を取り囲むようにダミー材２を配置し、次いで、床暖房マットＡ，Ｂを展開して、この床暖房マット配置予定域に該床暖房マットＡ，Ｂを配置する。
【００６２】
次に、室の端から、順次、このダミー材２と床暖房マットＡ，Ｂとの上にフローリング材１を敷設する。この際、各フローリング材１を、その長手方向が床暖房マットＡ，Ｂの突き合わせ辺Ｔと略平行方向となるように配材する。
【００６３】
フローリング材１は、床暖房マットＡ，Ｂ上においては、複数の小根太２０に跨って配置される。この際、第４図の通り、各フローリング材１の短辺を小根太２０に重ねるようにする。
【００６４】
なお、この実施の形態では、フローリング材１の長手幅は該フローリング材１の短手幅Ｗ０の整数倍となっており、且つ小根太２０，２０同士の間隔がＷ０となっているので、フローリング材１の一方の短辺を小根太２０に重ねると、このフローリング材１の他方の短辺も別の小根太２０に重なるようになる。
【００６５】
そして、各フローリング材１を釘３０で各小根太２０に留め付ける。この際、第４，５図のように、各フローリング材１のうち一方の長側辺に沿う雄実１ａ及び一方の短辺に沿う雄実１ａにそれぞれ釘３０を打ち込んで、各フローリング材１の上面に釘３０が露呈しないようにする。
【００６６】
なお、１枚目のフローリング材１を配置した後、２枚目のフローリング材１を配置する際には、両者の雄実１ａと雌実１ｂとを係合させるようにする。３枚目以降を配置する場合も同様に、隣り合うフローリング材１，１の雄実１ａと雌実１ｂとを係合させる。
【００６７】
この暖房床構造においては、第４，５図の通り、床暖房マットＡ，Ｂの突き合わせ辺Ｔを跨いでフローリング材１が配置される。この際、フローリング材１を、その両長側辺が該突き合わせ辺Ｔ及び該突き合わせ辺Ｔに隣接する釘打ち禁止部としての各連結部２１に重ならないように配置する。そして、このフローリング材１の両長側辺を、各連結部２１の両側に位置する小根太２０，２０上にそれぞれ重ねる。また、この際、フローリング材１の短辺を、連結部２１を挟んで一直線状に並んだ１対の小根太２０，２０に沿わせ、その両端側をこれらの小根太２０，２０上にそれぞれ重ねる。
【００６８】
そして、他のフローリング材１と同様に、このフローリング材１の一方の長側辺に沿う雄実１ａと、一方の短辺に沿う雄実１ａとにそれぞれ釘３０を打ち込み、このフローリング材１を小根太２０に釘留めする。
【００６９】
なお、このように床暖房マットＡ，Ｂの突き合わせ辺Ｔを跨いで配置されるフローリング材１の両長側辺が該突き合わせ辺Ｔ及び該突き合わせ辺Ｔに隣接する釘打ち禁止部としての各連結部２１に重ならないようにするために、予め、室の端辺に沿って配置されるフローリング材１の幅を適宜調節（幅詰め）しておく。
【００７０】
この実施の形態では、フローリング材１の短手幅Ｗ０、床暖房マットＡ，Ｂの突き合わせ辺Ｔと略直交方向の幅Ｗ１，Ｗ２、及び釘打ち禁止部としての各連結部２１の該突き合わせ辺Ｔと略直交方向の幅ｔが次の関係を満たす。  
Ｗ１＝ｎ・Ｗ０            （ｎは１以上の整数）
Ｗ２＝ｍ・Ｗ０            （ｍは１以上の整数）
２ｔ＝ｘ・Ｗ０          （０＜ｘ＜１）
（１−ｘ）・Ｗ０≧１０ｍｍ
【００７１】
従って、第４，５図のように、一部の小根太２０，２０同士の間で２個の連結部２１，２１が連続している場合でも、この連続した連結部２１，２１の合計の幅２ｔがフローリング材１の短手幅Ｗ０よりも小さいので、必ず、この連続した連結部２１，２１にフローリング材１の両方の長側辺が重ならないように該フローリング材１を配材することができる。
【００７２】
また、フローリング材１の短手幅Ｗ０からこの連続した連結部２１，２１の合計の幅２ｔを引いた残りの幅（１−ｘ）・Ｗ０が１０ｍｍ以上となっているので、この連続した連結部２１，２１にフローリング材１の両方の長側辺が重ならないようにフローリング材１を配材しても、このフローリング材１の一方の長側辺に沿う雄実１ａを余裕を持って小根太２０に重ねることができる。これにより、確実に、この雄実１ａに釘３０を打ち込んでフローリング材１を小根太２０に釘留めすることができる。
【００７３】
従って、この暖房床構造にあっては、床暖房マットＡ，Ｂの突き合わせ辺Ｔ付近に小小根太を設けなくとも、確実にフローリング材１を小根太２０に釘留めすることができる。
【００７４】
なお、フローリング材１として短手幅Ｗ０が３０３ｍｍの規格品のフローリング材を用いた場合、このフローリング材１の短手幅Ｗ０（３０３ｍｍ）から連続した連結部２１，２１の合計の幅２ｔを引いた残りの幅（１−ｘ）・Ｗ０を７５ｍｍ以上２５０ｍｍ以下とすることにより、フローリング材１を、その両長側辺が連続した連結部２１，２１に重ならないように配材しても、少なくともこのフローリング材の一方の長側辺に沿う雄実１ａを小根太２０に余裕を持って重ねることができるため、この雄実１ａを確実に小根太２０に釘留めすることができる。
【００７５】
本発明では、特に、連続した釘打ち禁止部の合計の幅２ｔがフローリング材の短手幅Ｗ０の２／３よりも小さくなるように構成することにより、第５図のように、フローリング材１の短辺を連続した連結部２１，２１の両側の小根太２０，２０に跨るように配置することができ、且つこの短辺の両端側がそれぞれ余裕を持って小根太２０に重なるようになるため、このフローリング材１の短辺の両端側を確実に小根太２０に釘留めすることができる。
【００７６】
［第２の実施の形態に係る温調床構造としての暖房床構造］
第６図は第２の実施の形態に係る温調床構造に用いられる床暖房マットＣ〜Ｈの平面図、第７図はこの暖房床構造における床暖房マットＤ，Ｇ間の突き合わせ辺Ｔ０付近の拡大図である。
【００７７】
なお、第６図及び第７図では、均熱シート５の図示が省略され、第７図ではさらに温水配管４の図示も省略されている。また、第７図では、代表的な１枚のフローリング材１のみ図示され、他のフローリング材１の図示は省略されている。
【００７８】
この実施の形態では、６枚の床暖房マットＣ〜Ｈが集合状に配列されている。これらの床暖房マットＣ〜Ｈはそれぞれ略長方形の平面視形状を有している。
【００７９】
この実施の形態では、床暖房マットＤ，Ｇが、互いの長辺の長さ及び互いの短辺の長さがそれぞれ略等しいものとなっている。また、床暖房マットＣ，Ｆが、互いの長辺の長さ及び互いの短辺の長さがそれぞれ略等しいものとなっている。さらに、床暖房マットＥ，Ｈが、互いの長辺の長さ及び互いの短辺の長さがそれぞれ略等しいものとなっている。これらの床暖房マットＣ，Ｆ，Ｅ，Ｈの長辺の長さは、床暖房マットＤ，Ｇの短辺の長さと略等しくなっている。
【００８０】
この実施の形態では、床暖房マットＤ，Ｇの短辺の長さ、並びに床暖房マットＣ，Ｆ，Ｅ，Ｈの長辺の長さが、それぞれ、フローリング材１の短手幅Ｗ０の１倍以上の整数倍となっている。
【００８１】
第６図の通り、床暖房マットＣ〜Ｅがこの順に一列に配列され、床暖房マットＦ〜Ｈがこの順に、且つ該床暖房マットＣ〜Ｅに隣接するように一列に配列されている。
【００８２】
床暖房マットＣは、その長辺を床暖房マットＤの一方の短辺に突き合わせるように配置され、床暖房マットＥは、その長辺を床暖房マットＤの他方の短辺に突き合わせるようにして配列されている。また、床暖房マットＦは、その長辺を床暖房マットＧの一方の短辺に突き合わせるように配置され、床暖房マットＨは、その長辺を床暖房マットＧの他方の短辺に突き合わせるようにして配列されている。
【００８３】
床暖房マットＣ〜Ｅの列と床暖房マットＦ〜Ｈの列との間では、床暖房マットＣ，Ｆが互いの短辺同士を突き合わせるようにして隣接し、床暖房マットＤ，Ｇが互いの長辺同士を突き合わせるようにして隣接し、床暖房マットＥ，Ｈが互いの短辺同士を突き合わせるようにして隣接している。
【００８４】
符号Ｔ０は、床暖房マットＣ〜Ｅの列と床暖房マットＦ〜Ｈの列との間の突き合わせ辺を示し、Ｔ１は床暖房マットＣ，Ｄ間の突き合わせ辺を示し、Ｔ２は床暖房マットＤ，Ｅ間の突き合わせ辺を示し、Ｔ３は床暖房マットＦ，Ｇ間の突き合わせ辺を示し、Ｔ４は床暖房マットＧ，Ｈ間の突き合わせ辺を示している。
【００８５】
この実施の形態では、床暖房マットＤ，Ｇ間、Ｃ，Ｄ間、Ｄ，Ｅ間、Ｆ，Ｇ間並びにＧ，Ｈ間でそれぞれ各突き合わせ辺Ｔ０〜Ｔ４を跨いで温水配管４が一方の床暖房マットから他方の床暖房マットに連続して配材されている。即ち、この実施の形態では、床暖房マットＤ，Ｇ同士、Ｃ，Ｄ同士、Ｄ，Ｅ同士、Ｆ，Ｇ同士並びにＧ，Ｈ同士はそれぞれこの温水配管４により連結されたものとなっている。
【００８６】
この実施の形態でも、床暖房マットＤ，Ｇ間、Ｃ，Ｄ間、Ｄ，Ｅ間、Ｆ，Ｇ間並びにＧ，Ｈ間でそれぞれ各突き合わせ辺Ｔ０〜Ｔ４に沿って山折り又は谷折りすることにより、これらの床暖房マットＣ〜Ｈを折り重ねることができるようになっている。
【００８７】
各床暖房マットＣ〜Ｈは、それぞれ、互いに平行に配列された複数の小根太２０を備えている。第６図に示すように、各小根太２０は、床暖房マットＣ〜Ｅの列と床暖房マットＦ〜Ｈの列との間の突き合わせ辺Ｔ０と略直交方向に延在している。
【００８８】
なお、床暖房マットＣ，Ｆにはそれぞれ２本の小根太２０が設けられ、床暖房マットＤ，Ｇにはそれぞれ５本の小根太２０が設けられ、床暖房マットＥ，Ｈにはそれぞれ３本の小根太２０が設けられている。
【００８９】
以下、床暖房マットＣ〜Ｅの列及び床暖房マットＦ〜Ｈの列の各小根太２０を、それぞれ、第６図において最も左側に配置された小根太２０から順に１列目の小根太２０、２列目の小根太２０、３列目の小根太２０、４列目の小根太２０、５列目の小根太２０、６列目の小根太２０、７列目の小根太２０、８列目の小根太２０、９列目の小根太２０及び１０列目の小根太２０と称する。
【００９０】
第６図に示すように、この実施の形態では、１列目の小根太２０，２０同士の間においては、床暖房マットＣ側の小根太２０と突き合わせ辺Ｔ０との間に釘打ち禁止部としての連結部２１が形成されており、２列目の小根太２０，２０同士の間においては、床暖房マットＦ側の小根太２０と突き合わせ辺Ｔ０との間に連結部２１が形成されており、３列目の小根太２０，２０同士の間においては、床暖房マットＤ側の小根太２０と突き合わせ辺Ｔ０との間に連結部２１が形成されており、４列目の小根太２０，２０同士の間においては、床暖房マットＧ側の小根太２０と突き合わせ辺Ｔ０との間に連結部２１が形成されており、６列目の小根太２０，２０同士の間においては、床暖房マットＧ側の小根太２０と突き合わせ辺Ｔ０との間に連結部２１が形成されており、７列目の小根太２０，２０同士の間においては、床暖房マットＤ側の小根太２０と突き合わせ辺Ｔ０との間に連結部２１が形成されており、８列目の小根太２０，２０同士の間においては、床暖房マットＨ側の小根太２０と突き合わせ辺Ｔ０との間に連結部２１が形成されており、９列目の小根太２０，２０同士の間においては、床暖房マットＥ側の小根太２０と突き合わせ辺Ｔ０との間に連結部２１が形成されており、１０列目の小根太２０，２０同士の間においては、床暖房マットＨ側の小根太２０と突き合わせ辺Ｔ０との間に連結部２１が形成されている。
【００９１】
なお、この実施の形態では、５列目の小根太２０，２０間には連結部２１が存在していない。
【００９２】
即ち、この実施の形態では、５列目の小根太２０，２０間を除いて、１列目の小根太２０，２０間から順に、突き合わせ辺Ｔ０の床暖房マットＣ〜Ｅ側と床暖房マットＦ〜Ｈ側とに交互に釘打ち禁止部が存在している。
【００９３】
この実施の形態でも、突き合わせ辺Ｔ０と直交方向における各連結部２１の幅ｔとフローリング材１の短手幅Ｗ０は、次の関係を満たす。  
２ｔ＜ｘ・Ｗ０        （０＜ｘ＜１）
（１−ｘ）・Ｗ０≧１０ｍｍ
【００９４】
この実施の形態のその他の構成は前述の第１〜５図の実施の形態と同様であり、第６，７図において第１〜５図と同一符号は同一部分を示している。
【００９５】
第７図では、床暖房マットＤ，Ｇ間における突き合わせ辺Ｔ０付近が代表して図示されているが、この暖房床構造においても、床暖房マットＣ〜Ｅの列と床暖房マットＦ〜Ｈの列との突き合わせ辺Ｔ０を跨いでフローリング材１が配置される。この際、フローリング材１を、その両長側辺が該突き合わせ辺Ｔ０及び該突き合わせ辺Ｔ０に隣接する釘打ち禁止部としての各連結部２１に重ならないように配置する。そして、このフローリング材１の両長側辺を、各連結部２１の両側に位置する小根太２０，２０上にそれぞれ重ねる。また、この際、フローリング材１の短辺を、連結部２１を挟んで一直線状に並んだ１対の小根太２０，２０に沿わせ、その両端側をこれらの小根太２０，２０上にそれぞれ重ねる。
【００９６】
そして、このフローリング材１の一方の長側辺に沿う雄実１ａと、一方の短辺に沿う雄実１ａとにそれぞれ釘３０を打ち込み、このフローリング材１を小根太２０に釘留めする。
【００９７】
この実施の形態でも、前述の通り、フローリング材１の短手幅Ｗ０と釘打ち禁止部としての各連結部２１の突き合わせ辺Ｔ０と略直交方向の幅ｔが次の関係を満たす。  
２ｔ＝ｘ・Ｗ０          （０＜ｘ＜１）
（１−ｘ）・Ｗ０≧１０ｍｍ
【００９８】
従って、この実施の形態のように、１列目の小根太２０，２０間から順に突き合わせ辺Ｔ０の床暖房マットＣ〜Ｅ側と床暖房マットＦ〜Ｈ側とに交互に連結部２１が存在している場合でも、連結部２１の２個分の幅２ｔがフローリング材１の短手幅Ｗ０よりも小さいので、必ず、フローリング材１の両方の長側辺が突き合わせ辺Ｔ０の床暖房マットＣ〜Ｅ側及び床暖房マットＦ〜Ｈ側のいずれの連結部２１にも重ならないようにフローリング材１を配材することができる。
【００９９】
また、この実施の形態でも、フローリング材１の短手幅Ｗ０から連結部２１の２個分の幅２ｔを引いた残りの幅（１−ｘ）・Ｗ０が１０ｍｍ以上となっているので、この突き合わせ辺Ｔ０の床暖房マットＣ〜Ｅ側及び床暖房マットＦ〜Ｈ側のいずれの連結部２１にもフローリング材１の両方の長側辺が重ならないようにフローリング材１を配材しても、このフローリング材１の一方の長側辺に沿う雄実１ａを余裕を持って小根太２０に重ねることができる。これにより、確実に、この雄実１ａに釘３０を打ち込んでフローリング材１を小根太２０に釘留めすることができる。
【０１００】
従って、この暖房床構造にあっても、床暖房マットＣ〜Ｅの列と床暖房マットＦ〜Ｈの列との突き合わせ辺Ｔ０付近に小小根太を設けなくとも、確実にフローリング材１を小根太２０に釘留めすることができる。
【０１０１】
なお、この実施の形態でも、連結部２１の２個分の幅２ｔがフローリング材の短手幅Ｗ０の２／３よりも小さくなるように構成している。これにより、第７図の通り、フローリング材１の短辺を連結部２１の両側の小根太２０，２０に跨るように配置することができ、且つこの短辺の両端側がそれぞれ余裕を持って小根太２０に重なるようになるため、このフローリング材１の短辺の両端側を確実に小根太２０に釘留めすることができる。
【０１０２】
さらに、第８図に示すように、ヘッダー６を床暖房マットに斜めに配置することにより、第６図に示すようなヘッダー６近傍の小小根太を設けなくてもよい。
【０１０３】
なお、第８図は、上記の第２の実施の形態に係る温調床構造において、一列に配置された床暖房マットＦ〜Ｈのうち一端側に位置する床暖房マットＦの床暖房マットＣ，Ｇと反対側のコーナー部にヘッダー６を斜めに配置した例を示している。ヘッダー６をこのように斜めに配置することにより、該ヘッダー６から延出した温水配管４を図示の如く床暖房マットＦの外縁に沿うように引き回すことができるので、この温水配管４と床暖房マットＦの外縁との間に小小根太を設置しなくてもよくなる。
【０１０４】
［第３の実施の形態に係る温調床構造としての暖房床構造］
第９図は第３の実施の形態に係る温調床構造に用いられる床暖房マットＩ〜Ｎの平面図、第１０図はこの暖房床構造における床暖房マットＪ，Ｍ間の突き合わせ辺Ｔ５付近の拡大図である。
【０１０５】
なお、第９図及び第１０図では、均熱シート５の図示が省略され、第１０図ではさらに温水配管４の図示も省略されている。また、第１０図では、代表的な１枚のフローリング材１のみ図示され、他のフローリング材１の図示は省略されている。
【０１０６】
この実施の形態でも、略長方形状の６枚の床暖房マットＩ〜Ｎが集合状に配列されている。
【０１０７】
この実施の形態では、床暖房マットＩ〜Ｎは略同一の形状及び大きさとなっており、互いの長辺の長さ及び互いの短辺の長さがそれぞれ略等しいものとなっている。
【０１０８】
この実施の形態では、各床暖房マットＩ〜Ｎの長辺の長さがフローリング材１の短手幅Ｗ０の２倍以上の整数倍となっている。
【０１０９】
第９図の通り、床暖房マットＩ〜Ｋがこの順に一列に配列され、床暖房マットＬ〜Ｍがこの順に、且つ該床暖房マットＩ〜Ｋに隣接するように一列に配列されている。
【０１１０】
床暖房マットＩ〜Ｋ及びＬ〜Ｍは、それぞれ、互いの長辺同士を突き合わせるように配置されている。また、床暖房マットＩ〜Ｋの列と床暖房マットＬ〜Ｍの列との間では、床暖房マットＩ，Ｌ同士、Ｊ，Ｍ同士及びＫ，Ｎ同士が、それぞれ、互いの短辺同士を突き合わせるようにして隣接している。
【０１１１】
符号Ｔ５は、床暖房マットＩ〜Ｋの列と床暖房マットＬ〜Ｍの列との間の突き合わせ辺を示し、Ｔ６は床暖房マットＩ，Ｊ間の突き合わせ辺を示し、Ｔ７は床暖房マットＪ，Ｋ間の突き合わせ辺を示し、Ｔ８は床暖房マットＬ，Ｍ間の突き合わせ辺を示し、Ｔ９は床暖房マットＭ，Ｎ間の突き合わせ辺を示している。
【０１１２】
この実施の形態では、床暖房マットＩ，Ｌ間、Ｉ，Ｊ間、Ｊ，Ｋ間、Ｌ，Ｍ間並びにＭ，Ｎ間でそれぞれ各突き合わせ辺Ｔ５〜Ｔ９を跨いで温水配管４が一方の床暖房マットから他方の床暖房マットに連続して配材されている。即ち、この実施の形態では、床暖房マットＩ，Ｌ同士、Ｉ，Ｊ同士、Ｊ，Ｋ同士、Ｌ，Ｍ同士並びにＭ，Ｎ同士はそれぞれこの温水配管４により連結されたものとなっている。
【０１１３】
この実施の形態でも、床暖房マットＩ，Ｌ間、Ｉ，Ｊ間、Ｊ，Ｋ間、Ｌ，Ｍ間並びにＭ，Ｎ間でそれぞれ各突き合わせ辺Ｔ５〜Ｔ９に沿って山折り又は谷折りすることにより、これらの床暖房マットＩ〜Ｎを折り重ねることができるようになっている。
【０１１４】
各床暖房マットＩ〜Ｎは、それぞれ、互いに平行に配列された複数（この実施の形態では３本）の小根太２０を備えている。第９図に示すように、各小根太２０は、床暖房マットＩ〜Ｋの列と床暖房マットＬ〜Ｎの列との間の突き合わせ辺Ｔ５と略直交方向に延在している。
【０１１５】
以下、床暖房マットＩ〜Ｋの列及び床暖房マットＬ〜Ｍの列の各小根太２０を、それぞれ、第９図において最も左側に配置された小根太２０から順に１列目の小根太２０、２列目の小根太２０、３列目の小根太２０、４列目の小根太２０、５列目の小根太２０、６列目の小根太２０、７列目の小根太２０、８列目の小根太２０及び９列目の小根太２０と称する。
【０１１６】
第９図に示すように、この実施の形態では、１列目から９列目までの全ての小根太２０，２０同士の間において、突き合わせ辺Ｔ０と床暖房マットＩ〜Ｋ側及びＬ〜Ｍ側の双方の小根太２０との間に釘打ち禁止部としての連結部２１が形成されている。
【０１１７】
即ち、この実施の形態では、１列目から９列目までの全ての小根太２０，２０間に、それぞれ、連結部２１の２個分の幅２ｔの釘打ち禁止部が存在している。
【０１１８】
この実施の形態でも、突き合わせ辺Ｔ０と直交方向における各連結部２１の幅ｔとフローリング材１の短手幅Ｗ０は、次の関係を満たす。  
２ｔ＜ｘ・Ｗ０        （０＜ｘ＜１）
（１−ｘ）・Ｗ０≧１０ｍｍ
【０１１９】
この実施の形態のその他の構成は前述の第１〜５図の実施の形態と同様であり、第９，１０図において第１〜５図と同一符号は同一部分を示している。
【０１２０】
第１０図では、床暖房マットＪ，Ｍ間における突き合わせ辺Ｔ５付近が代表して図示されているが、この暖房床構造においても、床暖房マットＩ〜Ｋの列と床暖房マットＬ〜Ｍの列との突き合わせ辺Ｔ５を跨いでフローリング材１が配置される。この際、フローリング材１を、その両長側辺が該突き合わせ辺Ｔ５及び該突き合わせ辺Ｔ５を挟んで連続した釘打ち禁止部としての２個の連結部２１，２１に重ならないように配置する。そして、このフローリング材１の両長側辺を、連続した連結部２１，２１の両側に位置する小根太２０，２０上にそれぞれ重ねる。また、この際、フローリング材１の短辺を、連続した連結部２１，２１を挟んで一直線状に並んだ１対の小根太２０，２０に沿わせ、その両端側をこれらの小根太２０，２０上にそれぞれ重ねる。
【０１２１】
そして、このフローリング材１の一方の長側辺に沿う雄実１ａと、一方の短辺に沿う雄実１ａとにそれぞれ釘３０を打ち込み、このフローリング材１を小根太２０に釘留めする。
【０１２２】
この実施の形態でも、前述の通り、フローリング材１の短手幅Ｗ０と釘打ち禁止部としての各連結部２１の突き合わせ辺Ｔ０と略直交方向の幅ｔが次の関係を満たす。  
２ｔ＝ｘ・Ｗ０          （０＜ｘ＜１）
（１−ｘ）・Ｗ０≧１０ｍｍ
【０１２３】
従って、この実施の形態のように、１列目から９列目までの全ての小根太２０，２０同士の間において、突き合わせ辺Ｔ０とを挟んで２個の小根太２１，２１が連続している場合でも、この連続した連結部２１，２１の幅２ｔがフローリング材１の短手幅Ｗ０よりも小さいので、必ず、フローリング材１の両方の長側辺がこの連続した連結部２１，２１に重ならないようにフローリング材１を配材することができる。
【０１２４】
また、この実施の形態でも、フローリング材１の短手幅Ｗ０から連続した連結部２１，２１の幅２ｔを引いた残りの幅（１−ｘ）・Ｗ０が１０ｍｍ以上となっているので、この連続した連結部２１，２１にフローリング材１の両方の長側辺が重ならないようにフローリング材１を配材しても、このフローリング材１の一方の長側辺に沿う雄実１ａを余裕を持って小根太２０に重ねることができる。これにより、確実に、この雄実１ａに釘３０を打ち込んでフローリング材１を小根太２０に釘留めすることができる。
【０１２５】
従って、この暖房床構造にあっても、床暖房マットＩ〜Ｋの列と床暖房マットＬ〜Ｍの列との突き合わせ辺Ｔ５付近に小小根太を設けなくとも、確実にフローリング材１を小根太２０に釘留めすることができる。
【０１２６】
なお、この実施の形態でも、連続した連結部２１，２１の幅２ｔがフローリング材の短手幅Ｗ０の２／３よりも小さくなるように構成している。これにより、第１０図の通り、フローリング材１の短辺を連結部２１の両側の小根太２０，２０に跨るように配置することができ、且つこの短辺の両端側がそれぞれ余裕を持って小根太２０に重なるようになるため、このフローリング材１の短辺の両端側を確実に小根太２０に釘留めできる。
【０１２７】
［材質等］
上記各部材の材質の一例として次のものが挙げられるが、これらに限定されるものではない。
【０１２８】
温調マットを構成する基板としては、例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【０１２９】
小根太としては、木材や、釘打ち可能な合成木材又は合成樹脂が好ましい。
【０１３０】
均熱シート材としては、アルミ又は銅の金属箔が好ましい。
【０１３１】
温水配管としては、可撓性のポリエチレン等の合成樹脂チューブや銅パイプが例示される。
【０１３２】
［その他の構成］
上記の実施の形態は、いずれも本発明の一例を示すものであり、本発明は図示の構成に限定されない。
【０１３３】
上記の各実施の形態では、小根太の長手方向に２枚の床暖房マットを配列して床暖房構造を構築しているが、小根太の長手方向に３枚以上の床暖房マットを床上に配列して床暖房構造を構築してもよい。各床暖房マットの該小根太の長手方向における幅は、全ての床暖房マットで同じであってもよく、少なくとも一部の床暖房マットで異なっていてもよい。
【０１３４】
上記の各実施の形態では温水配管４が直に各溝３内に収容されているが、各溝３の内面から各基板の上面にかけて熱伝導部材を配材し、温水配管４を、この熱伝導部材に接するように溝３内に収容するよう構成してもよい。このように構成することにより、温水配管４からの熱を、この熱伝導部材を介してより効率よく均熱シート５に伝えることができる。
【０１３５】
上記の実施の形態は、温水を配管に通水して暖房する暖房床構造に関するものであるが、本発明は、温水ではなく、冷水を配管に通水して冷房する冷房床構造にも適用可能である。水以外のオイル、不凍液等の熱媒体を流通させてもよい。
【図面の簡単な説明】
【０１３６】
【図１】実施の形態に係る温調床構造としての暖房床構造の平面図である。
【図２】図１の暖房床構造に用いられる床暖房マットＡ，Ｂの平面図である。
【図３】図１の暖房床構造に用いられるフローリング材１の構成図である。
【図４】図１のIV付近の拡大図である。
【図５】図４のＶ−Ｖ線に沿う断面図である。
【図６】第２の実施の形態に係る温調床構造に用いられる床暖房マットＣ〜Ｈの平面図である。
【図７】図６の暖房床構造における床暖房マットＤ，Ｇ間の突き合わせ辺Ｔ０付近の拡大図である。
【図８】第２の実施の形態に係る温調床構造に用いられる床暖房マットＦにヘッダー６を設けた際の該ヘッダー６付近の拡大図である。
【図９】第３の実施の形態に係る温調床構造に用いられる床暖房マットＩ〜Ｎの平面図である。
【図１０】図９の暖房床構造における床暖房マットＪ，Ｍ間の突き合わせ辺Ｔ５付近の拡大図である。
【符号の説明】
【０１３７】
Ａ〜Ｎ  床暖房マット
Ｔ，Ｔ０〜Ｔ９  突き合わせ辺
１  フローリング材
１ａ  雄実
１ｂ  雌実
２  ダミー材
３  溝
４  温水配管
５  均熱シート
１０〜１７  基板
２０  小根太
２１  釘打ち禁止部としての連結部
３０  釘
【図１】
2008280829.tif 000003
【図２】
2008280829.tif 000004
【図３】
2008280829.tif 000005
【図４】
2008280829.tif 000006
【図５】
2008280829.tif 000007
【図６】
2008280829.tif 000008
【図７】
2008280829.tif 000009
【図８】
2008280829.tif 000010
【図９】
2008280829.tif 000011
【図１０】
2008280829.tif 000012